(57)【要約】【課題】モノクロ画像の読取処理の高速化を高画質を維持しつ、かつ、著しいコストの上昇を招くことなく実現する。【解決手段】高速モノクロ読取モード時に、加法混色の３原色であるＲ、Ｇ、Ｂの各色に対応したラインＣＣＤ３７ａ〜３７ｃのうち、ラインＣＣＤ３７ｂ，３７ｃにおいて、シフトレジスタ３０２ｂ，３０２ｃの１画素分ずつの蓄積電荷の出力タイミングを決定するシフトパルスφ１ｂ，φ２ｂ、１ｃ，２ｃの周期を、ゲート３０３ｂ，３０３ｃの蓄積電荷の出力タイミングを決定するクランプパルスφＣＬｂ，ＣＬｃの周期の１／２にし、ラインＣＣＤ３７ｂからの読取タイミングとラインＣＣＤ３７ｃからの読取タイミングとに１画素分の差異を与える。これによって、ラインＣＣＤ３７ｂの出力とラインＣＣＤ３７ｃの出力とから１ライン分の画像データが得られる。【選択図】図６
2004147087.tif 000002
【特許請求の範囲】
【請求項１】
互いに異なる色の画像を読み取る複数の光電変換手段を用いて画像データを取得する画像読取装置において、
モノクロ画像の読取時に、前記複数の光電変換手段のうちの少なくとも２つの光電変換手段が互いに異なるラインの画像を読み取るように制御する制御手段を設けたことを特徴とする画像読取装置。
【請求項２】
前記複数の光電変換手段の各々が、複数の光電変換素子を主走査方向に連続して等間隔に配列した光電変換素子列であり、互いに副走査方向に等間隔かつ平行に配置されており、
前記制御手段が、モノクロ画像の読取時に、少なくとも２つの光電変換素子列の各々を構成する光電変換素子間の主走査方向及び副走査方向の位置関係に基づいて、光電変換素子列毎に連続する複数の光電変換素子の出力を合成することを特徴とする請求項１に記載の画像読取装置。
【請求項３】
モノクロ画像の読取時に読取速度が異なる複数の読取モードの何れかの選択入力を受け付けるモード設定手段を備え、このモード設定手段により高速の読取モードが設定された際に、前記制御手段が前記複数の光電変換手段のうちの少なくとも２つの光電変換手段によって互いに異なるラインの画像を読み取るように制御することを特徴とする請求項１又は２に記載の画像読取装置。
【請求項４】
モノクロ画像形成時に画像形成速度が異なる複数の画像形成モードの何れかの選択入力を受け付けるモード設定手段を備えた画像形成装置において、
請求項１乃至３の何れかに記載の画像読取装置を備え、前記モード設定手段により高速の画像形成モードが設定された際に、前記制御手段が前記複数の光電変換手段のうちの少なくとも２つの光電変換手段によって互いに異なるラインの画像を読み取るように制御することを特徴とする画像形成装置。
【発明の詳細な説明】
【０００１】
【発明の属する技術分野】
この発明は、互いに異なる色の画像を読み取る複数の光電変換手段を備えたディジタル方式の画像読取装置、及び、この画像読取装置によって原稿から読み取った画像を記録媒体上に再現する画像形成装置に関する。
【０００２】
【従来の技術】
近年、原稿から読み取った画像を用紙等の記録媒体上に再現する複写機では、フルカラー画像等の高画質の画像を形成できるものとして、原稿から読み取った高解像度の画像をディジタルデータに変換した後に所定の画像処理を施すディジタル画像読取機能を用いたディジタル複写機が製品化されている。一方、文字原稿等のモノクロ原稿についての画像形成時には、原稿画像からの反射光によって感光体を直接露光する旧来のアナログ複写機におけるアナログ方式の画像読取機能による高速処理の要請が強い。
【０００３】
ところが、ディジタル複写機におけるモノクロ原稿についての画像形成は、フルカラー画像の形成にも用いられるディジタル画像読取機能によって行われるため、アナログ複写機ほどの高速処理を実現することができない。
【０００４】
このため、従来のディジタル複写機に適用される画像読取装置では、Ｒ（赤）、Ｇ（緑）、Ｂ（青）の感光画素列と、これら感光画素列から読み出された信号電荷を転送する水平転送レジスタと、感光画素列から読み出された１ライン分の信号電荷を一旦蓄積する退避蓄積レジスタと、を有する３ラインカラーＣＣＤセンサを用いてモノクロ画像の読取を行う際に、１水平転送期間中に感光画素列に対して例えばＲ、Ｇによる２回の露光期間を設定し、前半の露光期間に得られる信号電荷を一旦退避蓄積レジスタに退避させ、後半の露光期間に得られる信号電荷と同時化した後に２本の水平転送レジスタに転送し、かつ１水平転送期間に並列に出力させるようにしたものがある（例えば、特許文献１参照。）。
【０００５】
【特許文献１】
特開平１１−１０３３６９号
【０００６】
【発明が解決しようとする課題】
しかしながら、上記特許文献１に記載されている方法では、同一の原稿画像に対して２回の露光を行って画像データを得ているため、読取精度が悪くなるとともに、専用の退避レジスタを設ける必要性からコストの上昇を招く問題がある。
【０００７】
この発明の目的は、副走査方向に並列に設けられた複数の光電変換手段によって複数ラインの画像を同時に読み取ることにより、モノクロ画像の読取処理の高速化を高画質を維持しつ、かつ、著しいコストの上昇を招くことなく実現できる画像読取装置及び画像形成装置を提供することにある。
【０００８】
【課題を解決するための手段】
この発明は、上記の課題を解決するための手段として、以下の構成を備えている。
【０００９】
（１）互いに異なる色の画像を読み取る複数の光電変換手段を用いて画像データを取得する画像読取装置において、
モノクロ画像の読取時に、前記複数の光電変換手段のうちの少なくとも２つの光電変換手段が互いに異なるラインの画像を読み取るように制御する制御手段を設けたことを特徴とする。
【００１０】
この構成においては、カラー画像を読み取るために備えられた複数の光電変換手段のうちの少なくとも２つの光電変換手段により、モノクロ画像が読み取られる。したがって、カラー画像の読取時に単一ラインの画像から互いに異なる色の画像を読み取る少なくとも２つの光電変換手段が、モノクロ画像の読取時には複数ラインの画像から互いに同一色の画像を同時に読み取る。モノクロ画像は、既存の複数の光電変換手段を用いて高速で読み取られる。
【００１１】
（２）前記複数の光電変換手段の各々が、複数の光電変換素子を主走査方向に連続して等間隔に配列した光電変換素子列であり、互いに副走査方向に等間隔かつ平行に配置されており、
前記制御手段が、モノクロ画像の読取時に、少なくとも２つの光電変換素子列の各々を構成する光電変換素子間の主走査方向及び副走査方向の位置関係に基づいて、光電変換素子列毎に連続する複数の光電変換素子の出力を合成することを特徴とする。
【００１２】
この構成においては、カラー画像の読取時には単一ラインの画像から互いに異なる色の画像を読み取る複数の光電変換素子列のうちの少なくとも２つの光電変換素子列により、モノクロ画像の読取時に、複数ラインの画像から互いに同一色の画像が読み取られる。各光電変換素子列を構成する光電変換素子の画素毎の出力は、他方の光電変換素子列を構成する光電変換素子との間の主走査方向及び副走査方向の位置関係に基づいて合成される。
【００１３】
例えば、図１（Ａ）に示すように、それぞれｎ個の光電変換素子を主走査方向に配列した２つの光電変換素子列ＣＣＤ−Ｇ及びＣＣＤ−Ｂを用いてモノクロ画像を読み取る場合、一方の光電変換素子列ＣＣＤ−Ｇにおいて（２ｉ−１）番目の光電変換素子の出力と２ｉ番目の光電変換素子の出力とを合成し、他方の光電変換素子列ＣＣＤ−Ｂにおいて２ｉ番目の光電変換素子の出力と（２ｉ＋１）番目の光電変換素子の出力とを合成する（但し、ｉ＝１，２，・・・，ｎ／２−１）。
【００１４】
このとき、２つの光電変換素子列ＣＣＤ−Ｇ及びＣＣＤ−Ｂと原稿との副走査方向の相対的な移動速度を図１（Ｂ）に示すように単一の光電変換素子列ＣＣＤ−Ｇのみによってモノクロ画像を読み取る場合の２倍にすると、光電変換素子列ＣＣＤ−Ｇ及びＣＣＤ−Ｂを構成する各光電変換素子の電荷の蓄積時間が１／２になり、理論的には、光電変換素子列ＣＣＤ−Ｇ及びＣＣＤ−Ｂのそれぞれにおける２個の光電変換素子の出力の合成結果は、単一の光電変換素子列ＣＣＤ−Ｇによってモノクロ画像を読み取る場合の１個の光電変換素子の出力に匹敵する。この結果、光電変換素子列ＣＣＤ−Ｇ及びＣＣＤ−Ｂにおける２個の光電変換素子の合成結果のそれぞれは、図１（Ａ）中にハッチングを施したように、主走査方向に１個ずつずらした千鳥状に配置したものに相当する。
【００１５】
したがって、光電変換素子列ＣＣＤ−Ｇ及びＣＣＤ−Ｂのそれぞれの合成結果を交互に読み取ることにより、主走査方向の１ライン分の画像についての画像信号が得られ、画像の読取速度が２倍になる。
【００１６】
（３）モノクロ画像の読取時に読取速度が異なる複数の読取モードの何れかの選択入力を受け付けるモード設定手段を備え、このモード設定手段により高速の読取モードが設定された際に、前記制御手段が前記複数の光電変換手段のうちの少なくとも２つの光電変換手段によって互いに異なるラインの画像を読み取るように制御することを特徴とする。
【００１７】
この構成においては、モード選択手段によりモノクロ画像について高速の読取モードが設定された際に、複数の光電変換手段による画像の読取が行われる。したがって、高い読取精度が要求されるか否かに応じて単一の光電変換手段による低速の読取モードと複数の光電変換手段による高速の読取モードとが選択的に実行され、トレードオフの関係にある読取精度と読取速度とがユーザの嗜好に応じて選択的に充足される。
【００１８】
（４）モノクロ画像形成時に画像形成速度が異なる複数の画像形成モードの何れかの選択入力を受け付けるモード設定手段を備えた画像形成装置において、
（１）〜（３）の何れかに記載の画像読取装置を備え、前記モード設定手段により高速の画像形成モードが設定された際に、前記制御手段が前記複数の光電変換手段のうちの少なくとも２つの光電変換手段によって互いに異なるラインの画像を読み取るように制御することを特徴とする。
【００１９】
この構成においては、モード選択手段によりモノクロ画像について高速の画像形成モードが設定された際に、複数の光電変換手段による画像の読取が行われる。したがって、高画質が要求されるか否かに応じて単一の光電変換手段による低速の読取モードと複数の光電変換手段による高速の読取モードとが選択的に実行され、トレードオフの関係にある画質と画像形成速度とがユーザの嗜好に応じて選択的に充足される。
【００２０】
【発明の実施の形態】
以下に、この発明の実施形態に係る画像読取装置を、画像形成装置である複合型インクジェットプリンタに適用した場合を例に挙げて説明する。図２及び図３は、この発明の実施形態に係る画像読取装置を一部に備えた複合型インクジェットプリンタ（以下、単にプリンタという。）の外観図及び断面図である。また、図４は、同プリンタの概略の側面断面図である。プリンタ１は、プリンタ部２を挟んで上方にスキャナ部（この発明の画像読取装置に相当する。）３、下方に用紙収納部４を配置し、スキャナ部３と用紙収納部４との間でプリンタ部２の前面側に排紙部５を配置して構成されており、スキャナ部３によって読み取った原稿の画像をプリンタ部２において用紙収納部４に収納されている用紙上に再現し、画像形成済みの用紙を排紙部５に排出する。
【００２１】
スキャナ部３の上面には、図示しない操作部が設けられている。この操作部には、ユーザによるコピーの枚数や画像の濃度等のコピー条件の設定入力、及び、コピー開始をの指示入力を受け付けるキーが表示器とともに配置されている。
【００２２】
スキャナ部３は、上面を原稿カバー３２によって開閉自在に被覆された原稿台３３の下方に、蛍光灯（例えばキセノンランプ）等のコピーランプ３４、第１ミラー３５ａ、第２ミラー３５ｂ、第３ミラー３５ｃ、レンズ３６及び光電変換手段であるＣＣＤ３７を搭載したミラーベース３１を、原稿台３３の下面に沿って副走査方向に平行な矢印Ａ及びＢ方向にに往復移動自在に備えている。
【００２３】
コピーランプ３４は、原稿台３３の上面に載置された原稿の画像面に光を照射する。原稿の画像面における反射光は、第１〜第３ミラー３５ａ〜３５ｂ及びレンズ３６を経由してＣＣＤ３７に配光される。ＣＣＤ３７は、出力回路を介して原稿の反射光の光量に応じた電気信号を画素毎に出力する。
【００２４】
用紙収納部４には、給紙カセット４１が着脱自在に装着されている。給紙カセット４１内に積層して収納されている用紙Ｐは、ピックアップローラ４２によって１枚ずつ取出され、一対の給紙ローラ４３及びＵ字状の用紙搬送路４４を介してプリンタ部２へ搬送される。プリンタ部２の直前には一対のＰＳローラ４５が配置されている。ＰＳローラ４６は、用紙Ｐの斜行矯正及びタイミング合わせが行われた後、プリンタ部２のキャリッジ２１に搭載されたインクヘッドによって画像形成処理が行われる。キャリッジ２１は主走査方向に延びる一対の案内シャフト２２によってこの方向に変位自在に支持されている。
【００２５】
また、キャリッジ２１には図示しない一対のプーリ間に巻掛けられたタイミングベルトの一部が固着されており、一方のプーリがモータで駆動されることでキャリッジ２１が変位駆動される。プリンタ部２には、主走査方向に変位するキャリッジ２１に搭載されたインクヘッドに対向して、用紙Ｐを支持するプラテン２３が設けられている。画像形成処理を終了した用紙Ｐは、スターローラ２４及び排紙ローラ２５によって挟持されて排紙部５に排出される。
【００２６】
図５は、上記プリンタの制御部の構成を示すブロック図である。プリンタ１に含まれるスキャナ部３には、ＣＣＤ３７、操作部３８及び駆動エンジン３９等を接続したコントローラ４０が備えられている。また、プリンタ１のプリンタ部２には、インクヘッド２６及びモータ２９等を接続したメインコントローラ２７が備えられている。操作部３８には、カラー複写モードを選択する際に操作される選択キー３８ａ、通常モノクロ複写モードを選択する際に操作される選択キー３８ｂ、高速モノクロ複写モードを選択する際に操作される選択キー３８ｃ、及び、複写動作の開始を指示する際に操作されるスタートキー３８ｄ等が配置されている。即ち、複写モードとして、カラー複写モード、通常モノクロ複写モード及び高速モノクロ複写モードが選択自在にされている。通常モノクロ複写モードは高速化よりも高画質を優先する場合に実行され、速モノクロ複写モードは画質よりも高速化を優先する場合に実行される。
【００２７】
スキャナ部３のコントローラ４０は、操作部３８の操作データをプリンタ部２のメインコントローラ２７に出力し、メインコントローラ２７から供給される動作開始命令にしたがってＣＣＤ３７や駆動エンジン３９等を駆動する。また、コントローラ４０には、ＣＣＤ３７から出力された光量信号をディジタルデータに変換し、所定の画像処理を施した後に画像データとしてメインコントローラ２７に供給する。メインコントローラ２７は、モータ２９の駆動によってキャリッジ２１を主走査方向に移動させつつ、インクヘッド２６をコントローラ４０から供給された画像データに基づいて駆動する。これによって、インクヘッド２６とプラテン２３との間を通過する用紙Ｐに画像が形成される。
【００２８】
図６は、上記プリンタのスキャナ部の要部の回路図であり、ＣＣＤを実装した回路基板の構成を示す図である。スキャナ部３のＣＣＤ３７は、加法混色の３原色であるＲ、Ｇ、Ｂの各色に対応したラインＣＣＤ３７ａ〜３７ｃを備えている。ラインＣＣＤ３７ａ〜３７ｃのそれぞれは、プリンタ１において画像形成可能な最大の用紙の主走査方向の長さに匹敵する範囲に一例として５３００個の光電変換素子を配列して構成されており、原稿の画像を主走査方向の１ライン毎に読み取る。各ラインＣＣＤ３７ａ〜３７ｃにおいて、各光電変換素子は、原稿からの反射光量に応じた電荷を所定時間にわたって蓄積する。
【００２９】
蓄積された電荷は、所定の蓄積時間が経過する毎に“Ｈ”にされるゲート制御信号φＴＧ１〜φＴＧ３により、移送ゲート３０１ａ〜３０１ｃを介してシフトレジスタ３０２ａ〜３０２ｃに入力される。シフトレジスタ３０２ａ〜３０２ｃは、シフトパルスφ１ａ〜１ｃ，φ２ａ〜２ｃに同期して１画素分ずつ蓄積電荷を出力部に送り出す。この出力部の蓄積電荷がクランプパルスφＣＬａ〜ＣＬｃに同期してゲート３０３ａ〜３０３ｃを介して各画素の画像信号として出力される。シフトレジスタ３０２ａ〜３０２ｃの出力部は、リセットパルスφＲＢａ〜ＲＢｃによってクリアされる。
【００３０】
図７は、通常モノクロ読取モード時の上記スキャナ部の回路基板の各部における信号のタイミングチャートである。カラー読取モード時と同じ読取速度でモノクロ画像を読み取る通常モノクロ読取モード時には、３個のラインＣＣＤ３７ａ〜３７ｃのうち、Ｇ色のカラー画像に対応したラインＣＣＤ３７ｂのみを用いて原稿のモノクロ画像が読み取られる。ゲート制御信号φＴＧ２が移送ゲート３０１ｂに入力されると、ラインＣＣＤ３７ｂの５３００個の光電変換素子の蓄積電荷がシフトレジスタ３０２ｂに移される。
【００３１】
この後、シフトレジスタ３０２ｂに入力されるシフトパルスφ１ｂ，φ２ｂに同期して１画素分の蓄積電荷がシフトレジスタ３０２ｂの出力部に送り出される。シフトレジスタ３０２ｂの出力部及びゲート３０３ｂには、シフトパルスφ１ｂ，φ２ｂに同期したリセットパルスφＲＢｂ及びクランプパルスφＣＬｂが供給される。したがって、ゲート３０３ｂからは、ラインＣＣＤ３７ｂを構成する各光電変換素子の１個ずつの蓄積電荷が１画素の画像信号として出力される。
【００３２】
図８は、高速モノクロ読取モード時の上記スキャナ部の回路基板の各部における信号のタイミングチャートである。カラー読取モード時及び通常モノクロ読取モード時の２倍の読取速度でモノクロ画像を読み取る高速モノクロ読取モード時には、３個のラインＣＣＤ３７ａ〜３７ｃのうち、Ｇ色のカラー画像に対応したラインＣＣＤ３７ｂ及びＢ色のカラー画像に対応したラインＣＣＤ３７ｃを用いて原稿のモノクロ画像が読み取られる。ゲート制御信号φＴＧ２，φＴＧ３が移送ゲート３０１ｂ，３０１ｃに入力されると、ラインＣＣＤ３７ｂ，３７ｃの各々の５３００個の光電変換素子の蓄積電荷がシフトレジスタ３０２ｂ，３０２ｃに移される。
【００３３】
この後、シフトレジスタ３０２ｂ，３０２ｃに入力されるシフトパルスφ１ｂ，φ２ｂ及びφ１ｃ，φ２ｃに同期して１画素分の蓄積電荷がシフトレジスタ３０２ｂ，３０２ｃの出力部に送り出される。シフトレジスタ３０２ｂの出力部及びゲート３０３ｂには、シフトパルスφ１ｂ，φ２ｂ及びφ１ｃ，φ２ｃの１／２の周期に同期したリセットパルスφＲＢｂ，φＲＢｃ及びクランプパルスφＣＬｂ，φＣＬｃが供給される。したがって、ゲート３０３ｂ，３０３ｃからは、ラインＣＣＤ３７ｂ，３７ｃを構成する各光電変換素子の２個ずつの蓄積電荷が合成されて１画素の画像信号として出力される。
【００３４】
ここで、ラインＣＣＤ３７ｂ側に供給されるシフトパルスφ１ｂ，φ２ｂ、リセットパルスφＲＢｂ及びクランプパルスφＣＬｂの波形を、ラインＣＣＤ３７ｃ側に供給されるシフトパルスφ１ｃ，φ２ｃ、リセットパルスφＲＢｃ及びクランプパルスφＣＬｃの波形よりも１画素分遅らせている。これによって、ラインＣＣＤ３７ｂ側で合成される２個の光電変換素子とラインＣＣＤ３７ｃ側で合成される２個の光電変換素子とが主走査方向に１画素分（光電変換素子１個分）ずれることになり、ラインＣＣＤ３７ｂ側の出力とラインＣＣＤ３７ｃ側の出力が図１（Ａ）に示すように、主走査方向の２ラインの画像における千鳥状の位置の画素の画像信号を表すことになる。したがって、連続する２回の読取タイミングのうち１回目の読取タイミングにおけるラインＣＣＤ３７ｃ側の出力と１回目の読取タイミングにおけるラインＣＣＤ３７ｂ側の出力とを組み合わせることにより、１ライン分の画像の画像信号を得ることができる。
【００３５】
なお、この実施形態に係る画像読取装置では、３個のラインＣＣＤ３７ａ〜３７ｃの各々に対して個別波形の駆動パルス（シフトパルスφ１ａ〜ｃ，φ２ａ〜ｃ、リセットパルスφＲＢａ〜ｃ及びクランプパルスφＣＬａ〜ｃ）を供給しているが、少なくともモノクロ画像の高速読取モード時に使用される２個のラインＣＣＤに供給する駆動パルスの波形に１画素分のずれがあればよい。したがって、モノクロ画像の高速読取モード時に使用されないラインＣＣＤに供給する駆動パルスの波形は、モノクロ画像の高速読取モード時に使用される２個のラインＣＣＤの何れかに供給する駆動パルスの波形と同一であってもよい。
【００３６】
図９は、上記プリンタの制御部における処理手順を示すフローチャートである。原稿の画像を用紙上に再現するコピー作業時に、メインコントローラ２７は、コントローラ４０を介して操作部３８の操作により設定されたコピー条件の入力を受けると、コントローラ４０からのコピー開始指示の入力を待機する（ｓ１，ｓ２）。コピー条件の設定内容には、複写モードの選択内容が含まれる。操作部３８の選択キー３８ａ〜３８ｃの操作により、カラー複写モード、通常モノクロ複写モード又は高速モノクロ複写モードの何れかを選択することができる。通常モノクロ複写モードがデフォルトにされており、カラー複写モード又は高速モノクロ複写モードが選択されない場合には、通常モノクロ複写モードが自動選択される。また、コピー開始指示は、操作部３８からスタートキーの操作信号の入力を受けたコントローラ４０がメインコントローラ２７に出力する。
【００３７】
メインコントローラ２７は、コピー開始指示が入力されると、設定されたコピー条件においてカラー複写モード又はモノクロ複写モードの何れが選択されているかを判別する（ｓ３）。カラー複写モードが選択されている場合には、メインコントローラ２７は、コントローラ４０に３個のラインＣＣＤ３７ａ〜３７ｃの全てを用いた読取処理の実行命令を出力し、スキャナ部３において原稿からカラー画像を読み取る（ｓ４）。
【００３８】
カラー複写モードが選択されていない場合には、メインコントローラ２７は、高速モノクロ複写モードが選択されているか否かを判別し（ｓ５）、高速モノクロ複写モードが選択されていない場合には、コントローラ４０に１個のラインＣＣＤ３７ｂのみを用いた読取処理の実行命令を出力し、スキャナ部３において原稿からモノクロ画像を読み取る（ｓ６）。この時、スキャナ部３におけるミラーベース３１の移動速度は、カラー複写モード時と同一にされる。
【００３９】
高速モノクロ複写モードが選択されている場合には、メインコントローラ２７は、コントローラ４０に２個のラインＣＣＤ３７ｂ，３７ｃを用いた読取処理の実行命令を出力し、スキャナ部３において原稿からモノクロ画像を読み取る（ｓ７）。この時、スキャナ部３におけるミラーベース３１の移動速度は、カラー複写モード時及び通常モノクロ複写モード時の２倍にされる。
【００４０】
ｓ４、ｓ６又はｓ７の何れかの処理でＣＣＤ３７から出力された画像信号は、ディジタルデータに変換された後にコントローラ４０において所定の画像処理を施され（ｓ８）、画像データとしてコントローラ４０からメインコントローラ２７に供給される。メインコントローラ２７は、この画像データに基づいてインクヘット２６を駆動し、用紙に対する画像形成処理を実行する（ｓ９）。
【００４１】
以上の処理により、プリンタ１においては、高速モノクロ複写モードが選択された際に、カラー複写モード時に使用する３個のラインＣＣＤ３７ａ〜３７ｃのうち２個のラインＣＣＤ３７ｂ，３７ｃを用いて同時に２ラインのモノクロ画像を高速で読み取り、読み取った画像データに基づいて原稿の画像を用紙上に再現することができる。
【００４２】
図１０は、この発明の別の実施形態に係る画像読取装置の処理手順を示すフローチャートである。この発明の画像読取装置をプリンタと分離した独立のスキャナに適用した場合、原稿の画像の読取処理時に、図５に示したスキャナ部３において以下の処理が実行される。即ち、スキャナ部３のコントローラ４０は、操作部３８の操作により設定された読取条件の入力を受けると、読取開始の指示を待機する（ｓ１１，ｓ１２）。
【００４３】
コントローラ４０は、読取開始が指示されると、設定された読取条件においてカラー読取モード又はモノクロ読取モードの何れが選択されているかを判別する（ｓ１３）。カラー読取モードが選択されている場合には、コントローラ４０は、３個のラインＣＣＤ３７ａ〜３７ｃの全てを用いた読取処理を実行し、原稿からカラー画像を読み取る（ｓ１４）。
【００４４】
カラー読取モードが選択されていない場合には、コントローラ４０は、高速モノクロ読取モードが選択されているか否かを判別し（ｓ１５）、高速モノクロ読取モードが選択されていない場合には、１個のラインＣＣＤ３７ｂのみを用いた通常モノクロ読取モードによる読取処理を実行し、原稿からモノクロ画像を読み取る（ｓ１６）。この時、コントローラ４０は、ミラーベース３１をカラー読取モード時と同一の速度で移動させる。
【００４５】
高速モノクロ読取モードが選択されている場合には、コントローラ４は、２個のラインＣＣＤ３７ｂ，３７ｃを用いた読取処理を実行し、原稿からモノクロ画像を読み取る（ｓ１７）。この時、コントローラ４０は、ミラーベース３１をカラー読取モード時及び通常モノクロ読取モード時の２倍の速度で移動させる。
【００４６】
コントローラ４０は、ｓ１４、ｓ１６又はｓ１７の何れかの処理でＣＣＤ３７が出力した画像信号を、ディジタルデータに変換した後に所定の画像処理を施し（ｓ１８）、画像データとして外部のプリンタ等に出力する（ｓ１９）。
【００４７】
以上の処理により、スキャナ部３は、高速モノクロ読取モードが選択された際に、カラー読取モード時に使用する３個のラインＣＣＤ３７ａ〜３７ｃのうち２個のラインＣＣＤ３７ｂ，３７ｃを用いて同時に２ラインのモノクロ画像を高速で読み取ることができる。
【００４８】
なお、上記の実施形態では、何れにおいても、高速モノクロ複写モード又は高速モノクロ読取モードにおいてカラー複写モード時又はカラー読取モード時に互いに異なる色の画像を読み取る３個のラインＣＣＤ３７ａ〜３７ｃのうちの２個のラインＣＣＤ３７ｂ，３７ｃを用いることとしたが、高速モノクロ複写モード時又は高速モノクロ読取モード時に３個のラインＣＣＤ３７ａ〜３７ｃの全てをもちいるようにしてもよい。これによって計算上は、１個のラインＣＣＤを用いる場合の３倍の速度でモノクロ画像を読み取ることができることになる。また、単一のラインＣＣＤを使用する通常モード、２個のラインＣＣＤを用いる高速モード、及び、３個のラインＣＣＤを用いる超高速モードの３種類を択一的に選択できるようにしてもよい。
【００４９】
また、上記の実施形態に係る画像形成装置では、プリンタ部をインクジェット方式のプリンタによって構成したが、電子写真方式等他の方式で画像形成を行うものであってもよい。
【００５０】
【発明の効果】
この発明によれば、以下の効果を奏することができる。
【００５１】
（１）カラー画像の読取時に単一ラインの画像から互いに異なる色の画像を読み取る少なくとも２つの光電変換手段を用いて、モノクロ画像の読取時に複数ラインの画像から互いに同一色の画像を同時に読み取ることにより、既存の複数の光電変換手段によってコストの著しい上昇を招くことなく、モノクロ画像を高速で読み取ることができる。
【００５２】
（２）カラー画像の読取時には単一ラインの画像から互いに異なる色の画像を読み取る複数の光電変換素子列のうちの少なくとも２つの光電変換素子列により、モノクロ画像の読取時に、複数ラインの画像から互いに同一色の画像を読み取り、各光電変換素子列を構成する光電変換素子の画素毎の出力を、他方の光電変換素子列を構成する光電変換素子との間の主走査方向及び副走査方向の位置関係に基づいて合成することにより、各光電変換素子列の合成結果を交互に読み取って主走査方向の１ライン分の画像についての画像信号を得ることができ、画像の読取速度を２倍にすることができる。
【００５３】
（３）モード選択手段によりモノクロ画像について高速の読取モードが設定された際に、複数の光電変換手段による画像の読取を行うことにより、高い読取精度が要求されるか否かに応じて単一の光電変換手段による低速の読取モードと複数の光電変換手段による高速の読取モードとを選択的に実行することができ、トレードオフの関係にある読取精度と読取速度とをユーザの嗜好に応じて選択的に充足することができる。
【００５４】
（４）モード選択手段によりモノクロ画像について高速の画像形成モードが設定された際に、複数の光電変換手段による画像の読取を行うことにより、高画質が要求されるか否かに応じて単一の光電変換手段による低速の読取モードと複数の光電変換手段による高速の読取モードとを選択的に実行することができ、トレードオフの関係にある画質と画像形成速度とをユーザの嗜好に応じて選択的に充足することができる。
【図面の簡単な説明】
【図１】
【図２】この発明の実施形態に係る画像読取装置を一部に備えたプリンタの外観図である。
【図３】同プリンタの断面図である。
【図４】同プリンタの概略の側面断面図である。
【図５】同プリンタの制御部の構成を示すブロック図である。
【図６】同プリンタのスキャナ部の要部の回路図であり、ＣＣＤを実装した回路基板の構成を示す図である。
【図７】通常モノクロ読取モード時の上記スキャナ部の回路基板の各部における信号のタイミングチャートである。
【図８】高速モノクロ読取モード時の上記スキャナ部の回路基板の各部における信号のタイミングチャートである。
【図９】同プリンタの制御部における処理手順を示すフローチャートである。
【図１０】この発明の別の実施形態に係る画像読取装置の処理手順を示すフローチャートである。
【符号の説明】
１−プリンタ（画像形成装置）
２−プリンタ部
３−スキャナ部（画像読取装置）
２７−メインコントローラ
３７−ＣＣＤ（光電変換手段）
３７ａ−Ｒ用ラインＣＣＤ（光電変換素子列）
３７ｂ−Ｇ用ラインＣＣＤ（光電変換素子列）
３７ｃ−Ｂ用ラインＣＣＤ（光電変換素子列）
４０−コントローラ（制御手段）
【図１】
2004147087.tif 000003
【図２】
2004147087.tif 000004
【図３】
2004147087.tif 000005
【図４】
2004147087.tif 000006
【図５】
2004147087.tif 000007
【図６】
2004147087.tif 000008
【図７】
2004147087.tif 000009
【図８】
2004147087.tif 000010
【図９】
2004147087.tif 000011
【図１０】
2004147087.tif 000012